(57)【要約】【課題】信号機のない横断歩道で歩行者の安全を確保することを可能とする横断歩道一時停止用点滅装置及び横断歩道一時停止用点滅システムを提供することである。【解決手段】横断歩道一時停止用点滅装置１０は、車両１１の前部に設けられる前部方向指示器４とは別に前部に設けられ、横断歩道２０の停止線８で車両１１が一時停止する際に前部方向指示器４とは異なる色で点滅可能な前部点灯部１２ａ，１２ｂと、車両１１の後部に設けられる後部方向指示器７とは別に後部に設けられ、前部点灯部１２ａ，１２ｂの点滅に連動して後部方向指示器７とは異なる色で点滅する後部点灯部１４と、を備える。【選択図】図１
0003228460.tif 000002
【実用新案登録請求の範囲】
【請求項１】
車両の前部に設けられる前部方向指示器とは別に前記前部に設けられ、横断歩道の停止線で前記車両が一時停止する際に前記前部方向指示器とは異なる色で点滅可能な前部点灯部と、
前記車両の後部に設けられる後部方向指示器とは別に前記後部に設けられ、前記前部点灯部の点滅に連動して前記後部方向指示器とは異なる色で点滅する後部点灯部と、
を備えることを特徴とする横断歩道一時停止用点滅装置。
【請求項２】
請求項１に記載の横断歩道一時停止用点滅装置において、
前記前部点灯部及び前記後部点灯部は、緑色の点滅信号を出力することを特徴とする横断歩道一時停止用点滅装置。
【請求項３】
請求項１または請求項２に記載の横断歩道一時停止用点滅装置と、
前記横断歩道の停止線上で前記前部点灯部が点滅していることを検知したときに、前記横断歩道上に浮かび上がる緑色の光で構成される安全領域部を表示する表示部と、
を備えることを特徴とする横断歩道一時停止用点滅システム。
【考案の詳細な説明】
【技術分野】
【０００１】
本考案は、横断歩道一時停止用点滅装置及び横断歩道一時停止用点滅システムに関する。
【背景技術】
【０００２】
近年、道路を走行する自動車の数の増加に伴って交通事故の件数が増加している。本考案に関連する技術として、例えば、特許文献１には、車室内であって車両の前方から視認し得る位置に配設したことを特徴とする車両用ストップランプであって、車両用ルームミラーの車両の前進方向に対向する側面部に設けた車両用ストップランプが開示されている。
【先行技術文献】
【特許文献】
【０００３】
【特許文献１】特開平７−３０９１６９号公報
【考案の概要】
【考案が解決しようとする課題】
【０００４】
交通事故が発生する場所は、様々存在するが、信号機がない横断歩道は事故が多発する箇所の１つとされている。ここで、横断歩道とは、歩行者が道路を安全に横断するため、道路上に示された区域のことである。
【０００５】
本考案の目的は、信号機のない横断歩道で歩行者の安全を確保することを可能とする横断歩道一時停止用点滅装置及び横断歩道一時停止用点滅システムを提供することである。
【課題を解決するための手段】
【０００６】
本考案に係る横断歩道一時停止用点滅装置は、車両の前部に設けられる前部方向指示器とは別に前記前部に設けられ、横断歩道の停止線で前記車両が一時停止する際に前記前部方向指示器とは異なる色で点滅可能な前部点灯部と、前記車両の後部に設けられる後部方向指示器とは別に前記後部に設けられ、前記前部点灯部の点滅に連動して前記後部方向指示器とは異なる色で点滅する後部点灯部と、を備えることを特徴とする。
【０００７】
また、本に係る横断歩道一時停止用点滅装置において、前記前部点灯部及び前記後部点灯部は考案、緑色の点滅信号を出力することが好ましい。
【０００８】
本考案に係る横断歩道一時停止用点滅システムは、上記横断歩道一時停止用点滅装置と、前記横断歩道の停止線上で前記前部点灯部が点滅していることを検知したときに、前記横断歩道上に浮かび上がる緑色の光で構成される安全領域部を表示する表示部と、を備えることを特徴とする。
【考案の効果】
【０００９】
本考案によれば、信号機のない横断歩道で歩行者の安全を確保することが出来る。
【図面の簡単な説明】
【００１０】
【図１】本考案の実施形態の横断歩道一時停止用点滅装置が搭載された車両を示す図である。
【図２】本考案の実施形態の横断歩道一時停止用点滅装置が搭載された車両を有する横断歩道一時停止用点滅システムを示す図である。
【考案を実施するための形態】
【００１１】
以下に、本考案に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、本考案の実施形態の横断歩道一時停止用点滅装置１０が搭載された車両１１を示す図である。図２は、本考案の実施形態の横断歩道一時停止用点滅装置１０が搭載された車両１１を有する横断歩道一時停止用点滅システム１を示す図である。
【００１３】
横断歩道一時停止用点滅システム１は、信号機のない横断歩道２０で歩行者２２の安全を確保するシステムである。横断歩道一時停止用点滅システム１は、横断歩道一時停止用点滅装置１０が搭載された車両１１を有する。
【００１４】
横断歩道２０は、歩行者２２と車両１１の両方から見やすいように、舗装面に白色のペイントによる縞模様が描かれている。横断歩道２０は、交差点の他、渋滞する箇所で横断が危険な地点に設けられており、特に、学校の近辺など、多くの子供が通行する地域に設けられる。
【００１５】
車両１１は、内燃機関や回転電機を駆動源として走行する車であり、四輪自動車、三輪自動車、自動二輪車などである。図１では、車両１１は四輪自動車であるものとして説明する。図１（ａ）は、車両１１の正面側（フロント側）を示す図であり、図１（ｂ）は車両１１の背面側（リア側）を示す図である。
【００１６】
車両１１の正面側の前部には、中央部の幅方向両端部に２つのヘッドライト３が設けられており、これにより、夜間などに前方を照らした状態で走行することができる。各ヘッドライト３の外側には、２つの前部方向指示器４が設けられている。
【００１７】
２つの前部方向指示器４は、車両１１の右左折や進路変更の際に、その方向を周囲に示すための装置であり、緊急時には両側を同時に点滅させることで、ハザードランプとしても使われる。２つの前部方向指示器４は、電球やＬＥＤなどの発光体を含んで構成され、橙色又は黄色に点滅する。
【００１８】
車両１１の前部には、２つの前部方向指示器４とは別に前部に設けられ、横断歩道２０の停止線８で車両１１が一時停止する際に２つ前部方向指示器４とは異なる色で点滅可能な前部点灯部１２ａ，１２ｂが設けられている。
【００１９】
図１（ａ）の例では、前部点灯部１２ａ，１２ｂは、２つのヘッドライト３よりもやや内側かつ下部に設けられているものとして説明するが、もちろん、その他の場所に設置されていてもよい。
【００２０】
前部点灯部１２ａ，１２ｂは、緑色に点滅する。運転手は、２つの前部方向指示器４をハザードランプとして使用するときに用いるハザード釦とは別に設けられた前部点灯部１２ａ，１２ｂを点滅させるためのグリーン釦を操作することで緑色に点滅する。
【００２１】
具体的には、車両１１が図２に示されるような横断歩道２０の停止線８の前で一時停止する際に運転手がグリーン釦を操作することで、２つの前部点灯部１２ａ，１２ｂが緑色に点滅する。
【００２２】
車両１１の背面側の後部には、中央部の幅方向両端部に２つのテールランプ６が設けられており、これにより、夜間などに後続車に存在を知らしめるために点灯状態で走行することができる。
【００２３】
２つのテールランプ６は、車両１１の動きを制動するためのブレーキを踏んだ際に点灯するブレーキランプと兼用してもよい。２つのテールランプ６は、電球やＬＥＤなどの発光体を含んで構成され、赤色に点灯する。各テールランプ６の外側には、２つの前部方向指示器４が設けられている。
【００２４】
２つの後部方向指示器７は、２つの前部方向指示器４と同様に、車両１１の右左折や進路変更の際に、その方向を周囲に示すための装置である。２つの後部方向指示器７は、電球やＬＥＤなどの発光体を含んで構成され、２つの前部方向指示器４に連動した状態で橙色又は黄色に点滅する。
【００２５】
車両１１の後部には、２つの後部方向指示器７とは別に後部に設けられ、横断歩道２０の停止線８で車両１１が一時停止する際に２つ後部方向指示器７とは異なる色で点滅可能な後部点灯部１４が設けられている。
【００２６】
図１（ｂ）の例では、後部点灯部１４は、２つのヘッドライト３よりもやや内側かつ下部に１つだけ設けられているものとして説明する。後部点灯部１４は、後続の車両１１の運転手に知らせるためのものであるため、１つでも十分であると考えているが、もちろん２つ設けてもよい。
【００２７】
後部点灯部１４は、緑色に点滅する。運転手が前部点灯部１２ａ，１２ｂを点滅させるためのグリーン釦を操作して前部点灯部１２ａ，１２ｂが点滅したことに連動して、後部点灯部１４が緑色に点滅する。
【００２８】
表示部２４は、横断歩道２０の停止線８上で車両１１の前部点灯部１２ａ，１２ｂが点滅していることを検知したときに、横断歩道２０上に浮かび上がる緑色の光で構成される安全領域部３０を表示する。
【００２９】
なお、横断歩道２０の停止線８上で車両１１の前部点灯部１２ａ，１２ｂが点滅していることを検知しなくなった場合には、緑色の光は発光されなくなり、安全領域部３０が消えて、一般的な横断歩道２０に戻る。
【００３０】
表示部２４の検知部は、横断歩道２０の停止線８を監視する監視カメラを含んで構成され、監視カメラによって前部点灯部１２ａ，１２ｂの点滅状態を撮影したときの画像認識機能により、前部点灯部１２ａ，１２ｂ点滅を検知する。
【００３１】
安全領域部３０は、横断歩道２０上に略直方体形状に緑色の光が通って形成された領域である。表示部２４の発光部は、緑色の光を発光する発光素子、例えば、緑色用ＬＥＤなどを用いて構成することができる。
【００３２】
続いて、上記構成の横断歩道一時停止用点滅装置１０が搭載された車両１１を有する横断歩道一時停止用点滅システム１の作用について説明する。近年、道路を走行する自動車の数の増加に伴って交通事故の件数が増加している。
【００３３】
交通事故が発生する場所は、様々存在するが、信号機がない横断歩道２０は事故が多発する箇所の１つとされている。一般的に、横断歩道２０で一時停止しない車両１１は全体のうちの約９０％と言われている。
【００３４】
停止しない理由は、「自分が停止しても対向車が停止しないので危ないから」「後続から車が来ておらず、自分が通り過ぎれば歩行者は渡れると思ったため」「横断歩道に歩行者がいても渡るかどうかは分からないから」「一時停止した際に、後続車から追突されそうになったことがあるから」「急いでいるから」などといった声がある。
【００３５】
従来、横断歩道２０で信号機がなければ、積極的に一時停止する車両１１が少なく、また、停止しようと考える人も後続者からの追突などを恐れて停止しないといった事態に陥っていたため、横断歩道２０で積極的に止まるにあたって、新たな仕組みが必要となる。
【００３６】
横断歩道一時停止用点滅システム１によれば、車両１１の運転手が横断歩道２０の停止線８でグリーン釦を操作して一時停止を行う。これにより、ハザードランプなどとは異なる前部点灯部１２ａ，１２ｂが緑色に点滅することで、横断歩道２０を渡ろうとする歩行者２２が把握することができ、安心して横断歩道２０を渡ることができるという顕著な効果を奏する。
【００３７】
また、前部点灯部１２ａ，１２ｂの点滅に連動して、後部点灯部１４も緑色に点滅するため、後続車の車両１１にも前方の車両１１が横断歩道２０で一時停止中であることを容易に把握することができ、追突事故も防ぐことが出来る。
【００３８】
さらに、前部点灯部１２ａ，１２ｂの点滅が検知されたときに、横断歩道２０が緑色の光で構成された安全領域部３０を浮かび上がるため、歩行者２２が安心して歩くことができる。
【００３９】
また、一方の停止線８で車両１１が前部点灯部１２ａ，１２ｂの点滅させていることを対向車の運転者が把握できないとしても、横断歩道２０上で緑色の安全領域部３０が浮かび上がっていれば、より確実に運転者に気づかせて一時停止させることが出来る。
【００４０】
横断歩道一時停止用点滅システム１によれば、横断歩道２０の一時停止の際に緑色に点滅させている。緑色は、従来の方向指示器などの色とは全く異なる色であり、エコロジーなどを含めた優しいイメージがあるため、各車両１１の運転手にも意識付けしやすいという利点がある。このように、横断歩道一時停止用点滅システム１によれば、横断歩道２０を歩く歩行者２２の安全を確保することができるという顕著な効果を奏する。
【符号の説明】
【００４１】
１  横断歩道一時停止用点滅システム、２  ボディ、３  ヘッドライト、４  前部方向指示器、５  タイヤ、６  テールランプ、７  後部方向指示器、８  停止線、１０  横断歩道一時停止用点滅装置、１１  車両、１２ａ，１２ｂ  前部点灯部、１４  後部点灯部、２０  横断歩道、２２  歩行者、２４  表示部、３０  安全領域部。
【図１】
0003228460.tif 000003
【図２】
0003228460.tif 000004